(57)【要約】【課題】理髪の他、洗髪を行う際には別途洗髪槽を台上に載置して利用する必要があった。また、同装置は、移動用の車輪があるものの、折り畳んで持ち運べるような構造ではなかった。【解決手段】メインフレームは方形枠状に形成し、背もたれ部フレームは基端をメインフレームの上側フレーム枢着し、脚載せ部フレームはメインフレームに取り外し自在に連結構成し、脚載せ部フレームの左右フレームは差し込み杆を伸延してメインフレームの左右上方フレームに連結自在に構成し、背もたれ部フレームには背負い用のベルトを装備し、背もたれ部フレームには上面開口の略方形箱状に形成し洗髪槽を係合可能に形成した頭部伸延フレームを背もたれ部フレームに差し込み及び取外し自在に連結構成し、洗髪水を収容するポリタンクには給水ポンプとシャワーヘッドを設けた洗髪水ホースを挿通可能な給水穴を形成した持ち運び自在な折畳み式在宅用美容器具構造である。【選択図】図１
2019076410.tif 000002
【特許請求の範囲】
【請求項１】
メインフレームと足載せ部フレームと背もたれ部フレームとによって仰向け状態でカット及び洗髪形態とし、終了後は折り畳んで持ち運びできる形態とすることができる持ち運び自在な折畳み式在宅用美容器具構造において、
メインフレームは所定高さの方形枠状に形成し、
背もたれ部フレームは基端をメインフレームの上側フレーム後端に枢着し、
脚載せ部フレームはメインフレームの後端に取り外し自在に連結構成し、
脚載せ部フレームの左右フレーム先端は差し込み杆を伸延してメインフレームの左右上方フレーム後端に連結自在に構成し、
背もたれ部フレームの裏側には背負い用のベルトを装備し
背もたれ部フレームの先端には上面開口の略方形箱状に形成し洗髪槽を係合可能に形成した頭部伸延フレームを背もたれ部フレーム先端に差し込み及び取外し自在に連結構成し、
洗髪時に使用する洗髪水を収容するポリタンク上部には給水ポンプとシャワーヘッドを設けた洗髪水ホースを挿通可能な給水穴を形成した
ことを特徴とする持ち運び自在な折畳み式在宅用美容器具構造。
【請求項２】
男性の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の洗髪着座のためにメインフレーム前方に脚載せ部フレームを配置可能に構成した
ことを特徴とする請求項１記載の持ち運び自在な折畳み式在宅用美容器具構造。
【請求項３】
メインフレームをベッドの側枠に固定しベッド上でリクライニング形態に変更して使用できるように、メインフレームの後側フレームとメインフレームの下側フレーム後端部との間にはＬ字状のベッド係合フレームを架設し、キャスター支持パイプとＬ字状のベッド係合フレームとの間にＬ字状のベッド係合パイプからなる方形枠空間を形成した
ことを特徴とする請求項１又は２に記載の持ち運び自在な折畳み式在宅用美容器具構造。
【請求項４】
折畳携行時に折畳みフレームを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成した
ことを特徴とする請求項１から３の何れか１項に記載の持ち運び自在な折畳み式在宅用美容器具構造。
【請求項５】
メインフレームの後側垂直フレーム中途には、キャスター支持パイプを脱着自在に連結可能とした
ことを特徴とする請求項１から４の何れか１項に記載の持ち運び自在な折畳み式在宅用美容器具構造。
【請求項６】
上記した各フレームは丸パイプで構成し、各フレームの連結はパイプの嵌入嵌着により行うことができるように構成した
ことを特徴とする請求項１から５の何れか１項に記載の持ち運び自在な折畳み式在宅用美容器具構造。
【発明の詳細な説明】
【技術分野】
【０００１】
この発明は、持ち運び自在な折畳み式在宅用美容器具構造に関するものである。
【背景技術】
【０００２】
従来、介護施設や療養施設等には美容室まで外出して理美容を受けることができない者のために理美容師が施設に出張して理美容を行うようなことがある。そこで、出願人は、出張理美容を行う目的のために理美容椅子装置を考案した（特許文献１参照）。
【先行技術文献】
【特許文献】
【０００３】
【特許文献１】実用新案登録第３０７４０８１号公報
【発明の概要】
【発明が解決しようとする課題】
【０００４】
しかしながら、この理美容椅子装置は、着座可能な車椅子フレームにリクライニング式の背もたれ部を備えた構造であるものの、理髪の他、洗髪を行う際には別途洗髪槽を台上に載置して利用する必要があった。また、同装置は、移動用の車輪があるものの、折り畳んで持ち運べるような構造ではなかった。
【０００５】
上述した課題を解決するために、本発明は、リクライニング式の背もたれ部や洗髪のためのシャワーヘッドや給排水構造や洗髪槽を備えると共に持ち運びに適した折畳み式の構造とした持ち運び自在な折畳み式在宅用美容器具構造を提供する。
【課題を解決するための手段】
【０００６】
請求項１に記載の発明は、メインフレームと足載せ部フレームと背もたれ部フレームとによって仰向け状態でカット及び洗髪形態とし、終了後は折り畳んで持ち運びできる形態とすることができる持ち運び自在な折畳み式在宅用美容器具構造において、メインフレームは所定高さの方形枠状に形成し、背もたれ部フレームは基端をメインフレームの上側フレーム後端に枢着し、脚載せ部フレームはメインフレームの後端に取り外し自在に連結構成し、脚載せ部フレームの左右フレーム先端は差し込み杆を伸延してメインフレームの左右上方フレーム後端に連結自在に構成し、背もたれ部フレームの裏側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水を収容するポリタンク上部には給水ポンプとシャワーヘッドを設けた洗髪水ホースを挿通可能な給水穴を形成したことを特徴とする持ち運び自在な折畳み式在宅用美容器具構造とした。
【０００７】
請求項２に記載の発明は、男性の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の洗髪着座のためにメインフレーム前方に脚載せ部フレームを配置可能に構成したことを特徴とする。
【０００８】
請求項３に記載の発明は、メインフレームをベッドの側枠に固定しベッド上でリクライニング形態に変更して使用できるように、メインフレームの後側フレームとメインフレームの下側フレーム後端部との間にはＬ字状のベッド係合フレームを架設し、キャスター支持パイプとＬ字状のベッド係合フレームとの間にＬ字状のベッド係合パイプからなる方形枠空間を形成したことを特徴とする。
【０００９】
請求項４に記載の発明は、折畳携行時に折畳みフレームを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成したことを特徴とする。
【００１０】
請求項５に記載の発明は、メインフレームの後側垂直フレーム中途には、キャスター支持パイプを脱着自在に連結可能としたことを特徴とする。
【００１１】
請求項６に記載の発明は、上記した各フレームは丸パイプで構成し、各フレームの連結はパイプの嵌入嵌着により行うことができるように構成したことを特徴とする。
【発明の効果】
【００１２】
請求項１の発明によれば、メインフレームと足載せ部フレームと背もたれ部フレームとによって仰向け状態でカット及び洗髪形態とし、終了後は折り畳んで持ち運びできる形態とすることができる持ち運び自在な折畳み式在宅用美容器具構造において、メインフレームは所定高さの方形枠状に形成し、背もたれ部フレームは基端をメインフレームの上側フレーム後端に枢着し、脚載せ部フレームはメインフレームの後端に取り外し自在に連結構成し、脚載せ部フレームの左右フレーム先端は差し込み杆を伸延してメインフレームの左右上方フレーム後端に連結自在に構成し、背もたれ部フレームの裏側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水を収容するポリタンク上部には給水ポンプとシャワーヘッドを設けた洗髪水ホースを挿通可能な給水穴を形成したので、持ち運び形態から仰向け形態へと各フレームの構成を変更することができる。仰向け形態は、脚載せ部フレームの左右フレーム先端の差し込み杆をメインフレームの左右上方フレーム後端に連結し、メインフレームの上側フレーム後端に枢着した背もたれ部フレームを倒して、頭部伸延フレームに洗髪槽を係合することにより構成することができる。仰向け形態へ各フレームを変更することによりポリタンクの洗髪水を使用しての仰向け状態で洗髪を行うことができる。洗髪が完了したのちは持ち運び形態に各フレームを変更することにより背もたれ部フレームの裏側には背負い用のベルトに腕を通し、背負って在宅美容施術個所に持ち運ぶことが可能となる効果がある。
【００１３】
請求項２の発明によれば、男性の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の洗髪着座のためにメインフレーム前方に脚載せ部フレームを配置可能に構成したので、脚載せ部フレームに着座した男性が前かがみ姿勢の状態で頭部伸延フレームに係合設置した洗髪槽に頭部をたれて洗髪を行うことができる。
【００１４】
請求項３の発明によれば、メインフレームをベッドの側枠に固定しベッド上でリクライニング形態に変更して使用できるように、メインフレームの後側フレームとメインフレームの下側フレーム後端部との間にはＬ字状のベッド係合フレームを架設し、キャスター支持パイプとＬ字状のベッド係合フレームとの間にＬ字状のベッド係合パイプからなる方形枠空間を形成したので、メインフレームのＬ字状のベッド係合フレームをベッドの側枠に係合し、ベッド係合パイプで閉じることによりベッドへの固定形態を可能とする効果がある。
【００１５】
請求項４の発明によれば、折畳携行時に折畳みフレームを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成したので、メインフレームの上方フレーム間に洗髪槽を係合収納し、器具収納袋の袋フレーム先端をグリップ部自由端に連結して洗髪槽の内部に器具収納袋を垂下収納することにより折畳み略方形折畳み状態として在宅美容施術個所に持ち運ぶことが可能となる。
【００１６】
請求項５の発明によれば、メインフレームの後側垂直フレーム中途には、キャスター支持パイプを脱着自在に連結可能としたので、キャスター支持パイプをメインフレームより外して、ベッドへの固定形態に変化して、仰向け洗髪を行うことができる。
【００１７】
請求項６の発明によれば、上記した各フレームは丸パイプで構成し、各フレームの連結はパイプの嵌入嵌着により行うことができるように構成したので、メインフレームと脚載せ部フレーム又は背もたれ部フレームと頭部伸延フレーム等の嵌入嵌着により仰向け洗髪形態や男性洗髪形態や折畳携行の形態等への変更を行うことができる。
【図面の簡単な説明】
【００１８】
【図１】本発明の持ち運び自在な折畳み式在宅用美容器具構造の持ち運び形態を示す斜視図。
【図２】本発明の各美容器具を取り外した形態を示す説明図。
【図３】（ａ）メインフレーム及び背もたれ部フレームを示す正面図、（ｂ）メインフレーム及び背もたれ部フレームを示す背面図。
【図４】（ａ）メインフレームと脚載せ部フレームの連結前の状態を示す側面図、（ｂ）メインフレームと脚載せ部フレームの連結状態を示す側面図。
【図５】洗髪槽を示す斜視図。
【図６】シャワーヘッドからびポリタンク間の給水及び排水の流れを示す側面図、
【図７】本発明の持ち運び自在な折畳み式在宅用美容器具構造の仰向け洗髪形態を示す側面図、
【図８】本発明の持ち運び自在な折畳み式在宅用美容器具構造の男性洗髪形態を示す側面図。
【図９】本発明の持ち運び自在な折畳み式在宅用美容器具構造のベッドへの固定形態を示す側面図。
【発明を実施するための最良の形態】
【００１９】
この発明は、メインフレームと足載せフレームと背もたれ部フレームとによって仰向け状態でカット及び洗髪形態とし、終了後は折り畳んで持ち運びできる形態とすることができる持ち運び自在な折畳み式在宅用美容器具構造において、メインフレームは所定高さの方形枠状とし、背もたれ部フレームは基端をメインフレームの上側フレーム後端に枢着し、脚載せ部フレームはメインフレームの後端に取り外し自在に連結構成し、脚載せ部フレームの左右フレーム先端は差し込み杆を伸延してメインフレームの左右上方フレーム後端に連結自在に構成し、背もたれ部フレームの裏側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水収容のポリタンク上部には給水ポンプとシャワーヘッドを設けた洗髪水ホースを挿通可能な給水穴を形成したことを特徴とする。
【００２０】
また、男性の洗髪形態とするために、背もたれ部フレームを枢軸を中心に略垂直方向に起立させ背もたれフレーム先端のグリップ部自由端を略水平方向に変位させグリップ部自由端に頭部伸延フレームを連結し、頭部伸延フレームに洗髪槽を係合設置するように構成する共に、男性の洗髪着座のためにメインフレーム前方に脚載せ部フレームを配置可能に構成したことを特徴とする。
【００２１】
また、メインフレームをベッドの側枠に固定しベッド上でリクライニング形態に変更して使用できるように、メインフレームの後側フレームとメインフレームの下側フレーム後端部との間にはＬ字状のベッド係合フレームを架設し、キャスター支持パイプとＬ字状のベッド係合フレームとの間にＬ字状のベッド係合パイプからなる方形枠空間を形成したことを特徴とする。
【００２２】
また、折畳携行時に折畳みフレームを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成したことを特徴とする。
【００２３】
また、メインフレームの後側垂直フレーム中途には、キャスター支持パイプを脱着自在に連結可能としたことを特徴とする。
【００２４】
また、上記した各フレームは丸パイプで構成し、各フレームの連結はパイプの嵌入嵌着により行うことができるように構成したことを特徴とする。
【００２５】
本発明に係る持ち運び自在な折畳み式在宅用美容器具構造の実施形態について、以下、図面を参照しながら説明する。
【００２６】
本持ち運び自在な折畳み式在宅用美容器具構造Ｋは、メインフレームＡと足載せ部フレームＢと背もたれ部フレームＣとによって仰向け状態でカット及び洗髪形態（図７参照）とし、終了後は折り畳んで持ち運び形態にできる構造（図１参照）としている。
【００２７】
すなわち、持ち運び自在な折畳み式在宅用美容器具構造Ｋは以下のように構成している。
図２及び図３に示すように、メインフレームＡは、所定高さの方形枠状とし、左右上側フレーム１０，１０を平行な前後の上側水平フレーム１１，１１で連結し、さらに左右上側フレーム１０，１０の後方の中途部より左右後側垂直フレーム１２，１２を下方に向かって延伸し、左右後側垂直フレーム１２，１２の端部には左右のキャスター１３ａ，１３ａを軸支し連結したキャスター支持パイプ１３のステー１３ｂ，１３ｂを着脱自在に連結し（図３（ｂ）参照）、左右上側フレーム１０，１０前側の垂直部１０ａの下部同士を下側水平フレーム１４で連結し（図３（ａ）参照）、メインフレームＡの左右後側垂直フレーム１２，１２と左右下側フレーム１５，１５後端部との間にはＬ字状のベッド係合フレーム１６，１６を架設し（図２参照）、キャスター支持パイプ１３とＬ字状のベッド係合フレーム１６，１６との間にＬ字状のベッド係合パイプ１７，１７からなる方形枠空間を形成した構成としている。図２中符号１０ｃは左右上側フレーム１０の垂直部１０ａ，１０ａに収納した脚部伸延フレーム１０ｂ，１０ｂを固定するための脚部伸延フレーム固定部である。
【００２８】
図１及び図２に示すように、メインフレームＡの上側の方形空間には、洗髪槽Ｆを収納自在としている。
図５に示すように、洗髪槽Ｆは、上面開口の略方形箱状に形成し、洗髪槽Ｆの両側面には頭部伸延フレームＤと係合するための傾斜段部Ｆ１を形成すると共に、手前壁には首載せ用の凹部Ｆ２を形成する構成としている。
また、洗髪槽Ｆは、略方形箱状の洗髪槽内部の深さは手前側を深く先方側（頭部側）を浅くなるように内底面を傾斜することにより、洗髪使用時に上方開口部は先方側下り傾斜となる分、内底面が水平となって洗髪水の排水が行いやすくしている。図中符号Ｆ３は排水穴である。
【００２９】
図２及び図３に示すように、背もたれ部フレームＣは基端をメインフレームＡの上側フレーム１０後端に枢着している。背もたれ部フレームＣは左右の垂直フレーム２０，２０間を水平フレーム２１及び脚載せ部フレームＢを収納する脚載せ布体Ｇを係止する門型収納フレーム２２で連結し、さらに、左右垂直フレーム２０，２０の基部とメインフレームＡの上側フレーム１０後端とを枢着し、メインフレームＡの上側フレーム１０，１０中途部と背もたれ部フレームＣの左右垂直フレーム２０，２０の中途部との間に伸縮シリンダ２３，２３を介設し、左右垂直フレーム２０，２０先端にグリップ部２４を略直角向きに突設すると共に、コ字状の頭部伸延フレームＤを差し込み及び取外し自在な構成としている。図２中符号２８は背もたれ部フレームＣの左右垂直フレーム２０に収納した頭部伸延フレームＤを固定するための頭部伸延フレーム固定部である。符号２９は背もたれ部フレームＣの基端とメインフレームＡの上側フレーム１０後端とを枢着している枢支部である。
【００３０】
背もたれ部フレームＣは、左右フレーム２０，２０間に背もたれ布２７（図３参照）を架設しており、特に背が丸くなった老人の背もたれに適合するように背もたれ布を弛緩自在としている。
背もたれ部フレームＣの裏側には、背負い用のベルトＥ，Ｅを装備しており（図１参照）、持ち運ぶ際には、同ベルトＥ，Ｅに両腕を通して担ぎ持ち運ぶことができる。
【００３１】
図４に示すように、脚載せ部フレームＢはメインフレームＡの後端に取り外し自在に連結構成し、脚載せ部フレームＢの左右フレームＢ１，Ｂ１先端は差し込み杆Ｂ２，Ｂ２を伸延してメインフレームＡの左右上方フレーム１０，１０後端に連結自在に構成している。
【００３２】
図２に示すように、背もたれ部フレームＣのグリップ部２４，２４の自由端には、コ字状袋フレーム２６に垂設した上部開口の方形状の器具収納袋Ｈを連結可能としている。器具収納袋Ｈには、ポリタンクＩやシャワーヘッド３０や洗髪水ホース３１や排水ホース３２等を収納することができる。
【００３３】
図６に示すように、ポリタンクＩは、洗髪に使用する洗髪水を貯水すると共に洗髪後の排水を貯留することが可能である。ポリタンクＩの下部にはキャスター３３，３３を設け、ポリタンクＩの上部には搬送用ハンドル３４を設けており、搬送用ハンドル３４は引っ張り方向に応じて角度調整可能性な複数の連結機構で構成している。
【００３４】
また、ポリタンクＩの上部には給水穴３５と排水穴３６とを形成している。給水穴３５には給水ポンプ３７とシャワーヘッド３０を設けた洗髪水ホース３１を挿通している。
さらに、給水穴３５には着脱自在の蓋体３８を設けており、蓋体３８に給水ポンプ３７等の器具を固定している。
【００３５】
排水穴３６には洗髪槽Ｆの底面に連通した排水ホース３２を挿通している。排水ホース３２の一端はポリタンクＩ内で排水貯留袋３９に連通してポリタンクＩ内で洗髪水を貯留可能としている。
なお、ポリタンクＩの外に別途洗髪水貯留のための貯留ケースを設けておくことも可能である。
【００３６】
また、上述したメインフレームＡ，脚載せ部フレームＢ，背もたれ部フレームＣ，頭部伸延フレームＤ等の各フレームは丸パイプで構成しており、各フレームの連結はパイプの嵌入嵌着により行うことができる。
【００３７】
［仰向けの洗髪形態］
図２、図４及び図７を参照しながら仰向けの洗髪形態について説明する。
図２に示すように、同在宅用美容器具構造Ｋは、背もたれ部フレームＣを枢支部２９の枢軸を中心に垂直に起立しており、同背もたれ部フレームＣより器具収納袋Ｈや脚載せ部フレームＢを取り外し、さらに、メインフレームＡより洗髪槽Ｆを取り外す。
【００３８】
図４に示すように、脚載せ部フレームＢは、その左右フレームＢ１，Ｂ１先端の差し込み杆Ｂ２，Ｂ２をメインフレームＡの左右上方フレーム１０，１０後端に連結する。
【００３９】
図７に示すように、背もたれ部フレームＣの先端の頭部伸延フレームＤを引っ張りその方形状の空間に洗髪槽Ｆを係合する。洗髪槽Ｆの排水穴Ｆ３とポリタンクＩの排水穴３６とは排水ホース３２を介して連通連結する。さらに、ポリタンクＩの給水穴３５とシャワーヘッド３０とは洗髪水ホース３１を介して連通連結する。
【００４０】
背もたれ部フレームＣをリクライニング形態に変更するには、グリップ部２４，２４の操作ハンドル２５，２５を操作し、操作ワイヤ２５ａを介して連動連設している伸縮シリンダ２３，２３を伸縮作動することにより背もたれ部フレームＣを傾倒する。操作ハンドル２５と伸縮シリンダ中途の伸縮固定機構部（図示しない）とは操作ワイヤ２５ａを介して連動連設しており、操作ハンドル２５の中途にはシリンダケース内のピストンロッドの伸縮作動を固定する伸縮固定機構部を設けており、この伸縮固定機構部を作動することにより背もたれ部フレームＣの傾倒角度を固定することが可能である。
【００４１】
脚載せ部フレームＢと背もたれ部フレームＣの上面には、それぞれマットＭ，Ｍを載置し、その後頭部が洗髪槽Ｆの凹部Ｆ２に位置するように仰向け状態とする。ポリタンクＩの洗髪水を給水ポンプ３７により吸上げてシャワーヘッド３０より噴射して洗髪を行うことができる。その後、洗髪水は洗髪槽Ｆの排水穴Ｆ３より排出し排水ホース３２を介して排水貯留袋３９に貯留される。
【００４２】
［男性（前かがみ姿勢）の洗髪形態］
図２、及び図８を参照しながら前かがみ姿勢の洗髪形態について説明する。
同在宅用美容器具構造Ｋは、背もたれ部フレームＣを枢軸を中心に垂直に起立しており、同背もたれ部フレームＣより器具収納袋Ｈや脚載せ部フレームＢを取り外し、さらに、メインフレームＡより洗髪槽Ｆを取り外す。
【００４３】
図２に示すように、脚載せ部フレームＢは、メインフレームＡ前方に配置する。頭部伸延フレームＤを背もたれ部フレームＣから取外し、背もたれ部フレームＣ先端のグリップ部２４自由端に頭部伸延フレームＤを連結しなおし、この頭部伸延フレームＤに洗髪槽Ｆを係合設置する。仰向け洗髪形態と同様に、洗髪槽Ｆの排水穴Ｆ３とポリタンクＩの排水穴３６とは排水ホース３２を介して連通連結する。さらに、ポリタンクＩの給水穴３５とシャワーヘッド３０とは洗髪水ホース３１を介して連通連結する。
【００４４】
図８に示すように、背もたれ部フレームＣを傾倒するには、グリップ部２４，２４の操作ハンドル２５，２５を操作し、操作ワイヤ２５ａを介して連動連設している伸縮シリンダ２３，２３を伸縮作動することにより背もたれ部フレームＣを傾倒する。その後、上述と同様に伸縮固定機構部を作動することにより背もたれ部フレームＣの傾倒角度を固定する。
【００４５】
かかる構成とすることにより、メインフレームＡ前方に脚載せ部フレームＢを配置することにより、前かがみ姿勢である男性の洗髪形態とすることができる。
すなわち、脚載せ部フレームＢに着座して前かがみになり頭部の洗髪部を洗髪槽Ｆ内に位置させて利用形態の前かがみ姿勢の洗髪を可能とする。
【００４６】
［ベッドへの固定形態］
図２及び図９を参照しながらベッドへの固定形態について説明する。
上述の仰向け洗髪形態と同様の手順を行う。
図２に示すように、同在宅用美容器具構造Ｋは、背もたれ部フレームＣを枢軸を中心に垂直に起立しており、同背もたれ部フレームＣより器具収納袋Ｈや脚載せ部フレームＢを取り外し、さらに、メインフレームＡより洗髪槽Ｆを取り外す。
【００４７】
メインフレームＡの後側垂直フレーム１２，１２中途に連結したキャスター支持パイプ１３を取り外す。図９中の符号１８はメインフレームＡの後側垂直フレーム２０，２０中途に連結したキャスター支持パイプ１３を固定するためのキャスター脚付けナットである。
【００４８】
図９に示すように、脚載せ部フレームＢは、その左右フレームＢ１，Ｂ１先端の差し込み杆Ｂ２，Ｂ２をメインフレームＡの左右上方フレーム１０，１０後端に連結する。
【００４９】
メインフレームＡ及び脚載せ部フレームＢからなる仰向けのフレーム構成をベッドＮ上に載置し、Ｌ字状のベッド係合パイプ１７，１７からなる方形枠空間ＳにベッドＮの側枠Ｎ１を嵌入し、メインフレームＡの下側フレーム１５端部に枢着したベッド係合パイプ１７，１７で方形枠空間の下部を閉塞し、仰向けのフレーム構成をベッドＮ上に固定してベッドでのリクライニング使用を可能とすることができる。
【００５０】
［折畳み持ち運び自在な形態］
同在宅用美容器具構造Ｋを仰向け洗髪形態或いは男性（前かがみ姿勢）の洗髪形態から折畳み持ち運び自在な形態に変更することができる。
【００５１】
図２に示すように、背もたれ部フレームＣを枢支部２９の枢軸を中心に垂直に起立させる。メインフレームＡに洗髪槽Ｆを取り付ける。同背もたれ部フレームＣのグリップ部２４，２４の自由端には、器具収納袋Ｈのコ字状袋フレーム２６を連結し、洗髪槽Ｆの内部には、器具収納袋Ｈを垂下収納する。最後に背もたれ部フレームＣの脚載せ布体Ｇの袋状開口部から先端に脚載せ部フレームＢを収納する。
【００５２】
図１に示すように、上記器具収納袋Ｈに美容施術に必要な器具を内部収納可能に機能させ、しかも各フレームの前記機能によって折畳み略方形折畳み状態として背もたれ部フレームＣ裏側の背負い用ベルトＥ，Ｅに両腕を通し、背負って在宅美容施術個所に持ち運び可能としている。
かかる折畳み構成とすることによりメインフレームＡ及び連結自在のその他のフレーム並びに付属部品を一体ユニットの方形収納状態として背負うことが可能となる。
【００５３】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００５４】
Ｋ  持ち運び自在な折畳み式在宅用美容器具構造
Ａ  メインフレーム
Ｂ  脚載せ部フレーム
Ｂ１  左右フレーム
Ｂ２  差し込み杆
Ｃ  背もたれ部フレーム
Ｄ  頭部伸延フレーム
Ｅ  背負い用のベルト
Ｆ  洗髪槽
Ｇ  脚載せ布体
Ｈ  器具収納袋
Ｉ  ポリタンク
Ｍ  マット
Ｎ  ベッド
Ｓ  方形枠空間
１０  上側フレーム
１１  上側水平フレーム
１２  後側垂直フレーム
１３  キャスター支持パイプ
１４  下側水平フレーム
１５  下側フレーム
１６  ベッド係合フレーム
１７  ベッド係合パイプ
１８  キャスター脚付けナット
２０  垂直フレーム
２１  水平フレーム
２２  門型収納フレーム
２３  伸縮シリンダ
２４  グリップ部
２５  操作ハンドル
２５ａ  操作ワイヤ
２６  コ字状袋フレーム
２７  背もたれ布
２８  頭部伸延フレーム固定部
２９  枢支部
３０  シャワーヘッド
３１  洗髪水ホース
３２  排水ホース
３３  タンク用キャスター
３４  搬送用ハンドル
３５  給水穴
３６  排水穴
３７  給水ポンプ
３８  蓋体
３９  排水貯留袋
【図１】
2019076410.tif 000003
【図２】
2019076410.tif 000004
【図３】
2019076410.tif 000005
【図４】
2019076410.tif 000006
【図５】
2019076410.tif 000007
【図６】
2019076410.tif 000008
【図７】
2019076410.tif 000009
【図８】
2019076410.tif 000010
【図９】
2019076410.tif 000011
【手続補正書】
【提出日】平成30年4月27日(2018.4.27)
【手続補正１】
【補正対象書類名】明細書
【補正対象項目名】００４８
【補正方法】変更
【補正の内容】
【００４８】
図９に示すように、脚載せ部フレームＢは取り外し、メインフレームＡをベッドＮの側方に配置し、後側垂直フレーム１２，１２の下端をベッドＮのベッドの側枠Ｎ１に設けられた側枠挿入孔Ｎ２に挿入し、メインフレームＡを後側垂直フレーム１２，１２とメインフレームＡの垂直部１０ａとによりベッドＮ側方に架設定置する。かかる状態では、洗髪者は脚部を含む下半身をベッドＮのマットＭ’上に載置し、上半身をメインフレームＡのマットＭ上に載置して全体を仰臥状態とする。
【手続補正２】
【補正対象書類名】明細書
【補正対象項目名】００４９
【補正方法】変更
【補正の内容】
【００４９】
すなわち、ベッドＮ上で病気療養中の患者が洗髪する場合は上記のように脚載せ部フレームＢをメインフレームＡから取り外してメインフレームＡをベッドＮ側方に配置させメインフレームＡの垂直部１０ａとメインフレームＡの後側垂直フレーム１２とによりベッドＮのベッドの側枠Ｎ１に架設状態として仰臥患者の下半身をベッドＮ上に上半身をメインフレームＡ上に載置して洗髪するものである。
なお、ベッドの側枠Ｎ１に後側垂直フレーム１２先端を挿入固定する際にはベッド係合フレーム１６から突出したベッド係合パイプ１７の先端をベッドの側枠Ｎ１下端面に当接してメインフレームＡ、特に垂直部１０ａの架設し固定を強固にしている。
メインフレームＡ及び脚載せ部フレームＢからなる仰向けのフレーム構成をベッドＮ上に載置し、Ｌ字状のベッド係合パイプ１７，１７からなる方形枠空間ＳにベッドＮの側枠Ｎ１を嵌入し、メインフレームＡの下側フレーム１５端部に枢着したベッド係合パイプ１７，１７で方形枠空間の下部を閉塞し、仰向けのフレーム構成をベッドＮ上に固定してベッドでのリクライニング使用を可能とすることができる。
【手続補正３】
【補正対象書類名】明細書
【補正対象項目名】００５４
【補正方法】変更
【補正の内容】
【００５４】
Ｋ  持ち運び自在な折畳み式在宅用美容器具構造
Ａ  メインフレーム
Ｂ  脚載せ部フレーム
Ｂ１  左右フレーム
Ｂ２  差し込み杆
Ｃ  背もたれ部フレーム
Ｄ  頭部伸延フレーム
Ｅ  背負い用のベルト
Ｆ  洗髪槽
Ｇ  脚載せ布体
Ｈ  器具収納袋
Ｉ  ポリタンク
Ｍ，Ｍ’  マット
Ｎ  ベッド
Ｎ１  側枠
Ｎ２  側枠挿入孔
Ｓ  方形枠空間
１０  上側フレーム
１１  上側水平フレーム
１２  後側垂直フレーム
１３  キャスター支持パイプ
１４  下側水平フレーム
１５  下側フレーム
１６  ベッド係合フレーム
１７  ベッド係合パイプ
１８  キャスター脚付けナット
２０  垂直フレーム
２１  水平フレーム
２２  門型収納フレーム
２３  伸縮シリンダ
２４  グリップ部
２５  操作ハンドル
２５ａ  操作ワイヤ
２６  コ字状袋フレーム
２７  背もたれ布
２８  頭部伸延フレーム固定部
２９  枢支部
３０  シャワーヘッド
３１  洗髪水ホース
３２  排水ホース
３３  タンク用キャスター
３４  搬送用ハンドル
３５  給水穴
３６  排水穴
３７  給水ポンプ
３８  蓋体
３９  排水貯留袋
【手続補正４】
【補正対象書類名】図面
【補正対象項目名】図９
【補正方法】変更
【補正の内容】
【図９】
2019076410.tif 000012
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
メインフレームと足載せ部フレームと背もたれ部フレームとポリタンクとによって仰向け状態でカット及び洗髪できる形態とし、終了後は折り畳んで持ち運びできる形態とすることができる持ち運び自在な折畳み式在宅用美容器具構造において、
メインフレームは所定高さの方形枠状に形成し、
背もたれ部フレームは基端をメインフレームの上側フレーム後端に枢着し、
脚載せ部フレームはメインフレームの後端に取り外し自在に連結構成し、
脚載せ部フレームの左右フレーム先端は差し込み杆を伸延してメインフレームの左右上方フレーム後端に連結自在に構成し、
背もたれ部フレームの裏側には背負い用のベルトを装備し
背もたれ部フレームの先端には上面開口の略方形箱状に形成し洗髪槽を係合可能に形成した頭部伸延フレームを背もたれ部フレーム先端に差し込み及び取外し自在に連結構成し、
洗髪時に使用する洗髪水を収容するポリタンク上部には給水ポンプとシャワーヘッドを設けた洗髪水ホースを挿通可能な給水穴を形成した
ことを特徴とする持ち運び自在な折畳み式在宅用美容器具構造。
【請求項２】
男性の前かがみ姿勢の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の前かがみ姿勢のためにメインフレーム前方に脚載せ部フレームを配置可能に構成した
ことを特徴とする請求項１記載の持ち運び自在な折畳み式在宅用美容器具構造。
【請求項３】
メインフレームのうち、略Ｌ字状のベッド係合フレームと、横杵のベッド係合パイプと、後側垂直フレームとにより方形枠空間を形成し、この方形枠空間中にベッドの方形状の側枠の上枠体を嵌入し、しかも、メインフレームをベッドの側枠に支持するためにベッド係合フレームをベッドの側枠の上枠体に載置支持する
ことを特徴とする請求項１又は２に記載の持ち運び自在な折畳み式在宅用美容器具構造。
【請求項４】
折畳携行時に折畳みフレームを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成した
ことを特徴とする請求項１から３の何れか１項に記載の持ち運び自在な折畳み式在宅用美容器具構造。
【請求項５】
メインフレームの後側垂直フレーム中途には、キャスター支持パイプを脱着自在に連結可能とした
ことを特徴とする請求項１から４の何れか１項に記載の持ち運び自在な折畳み式在宅用美容器具構造。
【請求項６】
上記した各フレームは丸パイプで構成し、各フレームの連結はパイプの嵌入嵌着により行うことができるように構成した
ことを特徴とする請求項１から５の何れか１項に記載の持ち運び自在な折畳み式在宅用美容器具構造。
【手続補正２】
【補正対象書類名】明細書
【補正対象項目名】０００６
【補正方法】変更
【補正の内容】
【０００６】
請求項１に記載の発明は、メインフレームと足載せ部フレームと背もたれ部フレームとポリタンクとによって仰向け状態でカット及び洗髪できる形態とし、終了後は折り畳んで持ち運びできる形態とすることができる持ち運び自在な折畳み式在宅用美容器具構造において、メインフレームは所定高さの方形枠状に形成し、背もたれ部フレームは基端をメインフレームの上側フレーム後端に枢着し、脚載せ部フレームはメインフレームの後端に取り外し自在に連結構成し、脚載せ部フレームの左右フレーム先端は差し込み杆を伸延してメインフレームの左右上方フレーム後端に連結自在に構成し、背もたれ部フレームの裏側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水を収容するポリタンク上部には給水ポンプとシャワーヘッドを設けた洗髪水ホースを挿通可能な給水穴を形成したことを特徴とする持ち運び自在な折畳み式在宅用美容器具構造とした。
【手続補正３】
【補正対象書類名】明細書
【補正対象項目名】０００７
【補正方法】変更
【補正の内容】
【０００７】
請求項２に記載の発明は、男性の前かがみ姿勢の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の前かがみ姿勢のためにメインフレーム前方に脚載せ部フレームを配置可能に構成したことを特徴とする。
【手続補正４】
【補正対象書類名】明細書
【補正対象項目名】０００８
【補正方法】変更
【補正の内容】
【０００８】
請求項３に記載の発明は、メインフレームのうち、略Ｌ字状のベッド係合フレームと、横杵のベッド係合パイプと、後側垂直フレームとにより方形枠空間を形成し、この方形枠空間中にベッドの方形状の側枠の上枠体を嵌入し、しかも、メインフレームをベッドの側枠に支持するためにベッド係合フレームをベッドの側枠の上枠体に載置支持することを特徴とする。
【手続補正５】
【補正対象書類名】明細書
【補正対象項目名】００１２
【補正方法】変更
【補正の内容】
【００１２】
請求項１の発明によれば、メインフレームと足載せ部フレームと背もたれ部フレームとポリタンクとによって仰向け状態でカット及び洗髪できる形態とし、終了後は折り畳んで持ち運びできる形態とすることができる持ち運び自在な折畳み式在宅用美容器具構造において、メインフレームは所定高さの方形枠状に形成し、背もたれ部フレームは基端をメインフレームの上側フレーム後端に枢着し、脚載せ部フレームはメインフレームの後端に取り外し自在に連結構成し、脚載せ部フレームの左右フレーム先端は差し込み杆を伸延してメインフレームの左右上方フレーム後端に連結自在に構成し、背もたれ部フレームの裏側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水を収容するポリタンク上部には給水ポンプとシャワーヘッドを設けた洗髪水ホースを挿通可能な給水穴を形成したので、持ち運び形態から仰向け形態へと各フレームの構成を変更することができる。仰向け形態は、脚載せ部フレームの左右フレーム先端の差し込み杆をメインフレームの左右上方フレーム後端に連結し、メインフレームの上側フレーム後端に枢着した背もたれ部フレームを倒して、頭部伸延フレームに洗髪槽を係合することにより構成することができる。仰向け形態へ各フレームを変更することによりポリタンクの洗髪水を使用しての仰向け状態で洗髪を行うことができる。洗髪が完了したのちは持ち運び形態に各フレームを変更することにより背もたれ部フレームの裏側には背負い用のベルトに腕を通し、背負って在宅美容施術個所に持ち運ぶことが可能となる効果がある。
【手続補正６】
【補正対象書類名】明細書
【補正対象項目名】００１３
【補正方法】変更
【補正の内容】
【００１３】
請求項２の発明によれば、男性の前かがみ姿勢の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の前かがみ姿勢のためにメインフレーム前方に脚載せ部フレームを配置可能に構成したので、脚載せ部フレームに着座した男性が前かがみ姿勢の状態で頭部伸延フレームに係合設置した洗髪槽に頭部をたれて洗髪を行うことができる。
【手続補正７】
【補正対象書類名】明細書
【補正対象項目名】００１４
【補正方法】変更
【補正の内容】
【００１４】
請求項３の発明によれば、メインフレームのうち、略Ｌ字状のベッド係合フレームと、横杵のベッド係合パイプと、後側垂直フレームとにより方形枠空間を形成し、この方形枠空間中にベッドの方形状の側枠の上枠体を嵌入し、しかも、メインフレームをベッドの側枠に支持するためにベッド係合フレームをベッドの側枠の上枠体に載置支持するので、メインフレームのＬ字状のベッド係合フレームをベッドの側枠に係合し、ベッド係合パイプで閉じることによりベッドへの固定形態を可能とする効果がある。
【手続補正８】
【補正対象書類名】明細書
【補正対象項目名】００１８
【補正方法】変更
【補正の内容】
【００１８】
【図１】本発明の持ち運び自在な折畳み式在宅用美容器具構造の持ち運び形態を示す斜視図。
【図２】本発明の各美容器具を取り外した形態を示す説明図。
【図３】（ａ）メインフレーム及び背もたれ部フレームを示す正面図、（ｂ）メインフレーム及び背もたれ部フレームを示す背面図。
【図４】（ａ）メインフレームと脚載せ部フレームの連結前の状態を示す側面図、（ｂ）メインフレームと脚載せ部フレームの連結状態を示す側面図。
【図５】洗髪槽を示す斜視図。
【図６】シャワーヘッドからびポリタンク間の給水及び排水の流れを示す側面図、
【図７】本発明の持ち運び自在な折畳み式在宅用美容器具構造の仰向け洗髪形態を示す側面図、
【図８】本発明の持ち運び自在な折畳み式在宅用美容器具構造の男性洗髪形態を示す側面図。
【図９】本発明の持ち運び自在な折畳み式在宅用美容器具構造のベッドへの固定形態を示す側面図。
【図９ａ】本発明の持ち運び自在な折畳み式在宅用美容器具構造のベッドへの固定形態の変形例を示す側面図。
【手続補正９】
【補正対象書類名】明細書
【補正対象項目名】００４８
【補正方法】変更
【補正の内容】
【００４８】
図９に示すように、脚載せ部フレームＢは、その左右フレームＢ１，Ｂ１先端の差し込み杆Ｂ２，Ｂ２をメインフレームＡの左右上方フレーム１０，１０後端に連結する。
【手続補正１０】
【補正対象書類名】明細書
【補正対象項目名】００４９
【補正方法】変更
【補正の内容】
【００４９】
メインフレームＡ及び脚載せ部フレームＢからなる仰向けのフレーム構成をベッドＮ上に載置する。メインフレームＡのうち、略Ｌ字状のベッド係合フレーム１６と、横杵のベッド係合パイプ１７と、後側垂直フレーム１２とにより方形枠空間Ｓを形成し、この方形枠空間Ｓ中にベッドＮの方形状の側枠Ｎ１の上枠体を嵌入し、しかも、メインフレームＡをベッドＮの側枠Ｎ１に支持するためにベッド係合フレーム１６をベッドＮの側枠Ｎ１の上枠体に載置支持する。
なお、図９ａは仰向けのフレーム構成のうちメインフレームＡがベッドＮ上に載置されている状態の一部の説明図である。
【手続補正１１】
【補正対象書類名】図面
【補正対象項目名】図９
【補正方法】変更
【補正の内容】
【図９】
2019076410.tif 000013
【手続補正１２】
【補正対象書類名】図面
【補正対象項目名】図９ａ
【補正方法】追加
【補正の内容】
【図９ａ】
2019076410.tif 000014
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
メインフレームと足載せ部フレームと背もたれ部フレームとポリタンクと器具収納袋と洗髪槽とによって仰向け状態でカット及び洗髪できる形態とし、終了後は折り畳んで持ち運びできる形態とすることができる持ち運び自在な折畳み式在宅用美容器具構造において、
メインフレームは所定高さの方形枠状に形成し、
背もたれ部フレームは基端をメインフレームの上側フレーム後端に枢着し、
脚載せ部フレームの左右フレーム先端は差し込み杆を伸延してメインフレームの左右上方フレーム後端に連結自在に構成し、
背もたれ部フレームの反対側には背負い用のベルトを装備し
背もたれ部フレームの先端には上面開口の略方形箱状に形成し洗髪槽を係合可能に形成した頭部伸延フレームを背もたれ部フレーム先端に差し込み及び取外し自在に連結構成し、
洗髪時に使用する洗髪水を収容するポリタンク上部には給水ポンプとシャワーヘッドを設けた洗髪水ホースを挿通可能な給水穴を形成した
ことを特徴とする持ち運び自在な折畳み式在宅用美容器具構造。
【請求項２】
男性の前かがみ姿勢の洗髪形態とするために、背もたれ部フレームを枢軸を中心に略垂直方向に起立させ背もたれ部フレーム先端のグリップ部自由端を略水平方向に変位させグリップ部自由端に頭部伸延フレームを連結し、頭部伸延フレームに洗髪槽を係合設置するように構成する共に、男性の前かがみ姿勢のためにメインフレーム前方に脚載せ部フレームを配置可能に構成した
ことを特徴とする請求項１記載の持ち運び自在な折畳み式在宅用美容器具構造。
【請求項３】
メインフレームのうち、略Ｌ字状のベッド係合フレームと、横杵のベッド係合パイプと、後側垂直フレームとにより方形枠空間を形成し、この方形枠空間中にベッドの方形状の側枠の上枠体を嵌入し、しかも、メインフレームをベッドの側枠に支持するためにベッド係合フレームをベッドの側枠の上枠体に載置支持する
ことを特徴とする請求項１又は２に記載の持ち運び自在な折畳み式在宅用美容器具構造。
【請求項４】
折畳携行時に、シャワーヘッドと洗髪水ホースと排水ホースとタンク用キャスターと搬送用ハンドルとを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成した
ことを特徴とする請求項１に記載の持ち運び自在な折畳み式在宅用美容器具構造。
【請求項５】
メインフレームの後側垂直フレーム中途には、キャスター支持パイプを脱着自在に連結可能とした
ことを特徴とする請求項３に記載の持ち運び自在な折畳み式在宅用美容器具構造。
【請求項６】
上記した各フレームは丸パイプで構成し、各フレームの連結はパイプの嵌入嵌着により行うことができるように構成した
ことを特徴とする請求項１から５の何れか１項に記載の持ち運び自在な折畳み式在宅用美容器具構造。
【手続補正２】
【補正対象書類名】明細書
【補正対象項目名】０００６
【補正方法】変更
【補正の内容】
【０００６】
請求項１に記載の発明は、メインフレームと足載せ部フレームと背もたれ部フレームとポリタンクと器具収納袋と洗髪槽とによって仰向け状態でカット及び洗髪できる形態とし、終了後は折り畳んで持ち運びできる形態とすることができる持ち運び自在な折畳み式在宅用美容器具構造において、メインフレームは所定高さの方形枠状に形成し、背もたれ部フレームは基端をメインフレームの上側フレーム後端に枢着し、脚載せ部フレームの左右フレーム先端は差し込み杆を伸延してメインフレームの左右上方フレーム後端に連結自在に構成し、背もたれ部フレームの反対側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水を収容するポリタンク上部には給水ポンプとシャワーヘッドを設けた洗髪水ホースを挿通可能な給水穴を形成したことを特徴とする持ち運び自在な折畳み式在宅用美容器具構造とした。
【手続補正３】
【補正対象書類名】明細書
【補正対象項目名】０００９
【補正方法】変更
【補正の内容】
【０００９】
請求項４記載の発明は、折畳携行時に、シャワーヘッドと洗髪水ホースと排水ホースとタンク用キャスターと搬送用ハンドルとを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成したことを特徴とする。
【手続補正４】
【補正対象書類名】明細書
【補正対象項目名】００１２
【補正方法】変更
【補正の内容】
【００１２】
請求項１の発明によれば、メインフレームと足載せ部フレームと背もたれ部フレームとポリタンクと器具収納袋と洗髪槽とによって仰向け状態でカット及び洗髪できる形態とし、終了後は折り畳んで持ち運びできる形態とすることができる持ち運び自在な折畳み式在宅用美容器具構造において、メインフレームは所定高さの方形枠状に形成し、背もたれ部フレームは基端をメインフレームの上側フレーム後端に枢着し、脚載せ部フレームはメインフレームの後端に取り外し自在に連結構成し、背もたれ部フレームの反対側には背負い用のベルトを装備し、背もたれ部フレームの先端には上面開口の略方形箱状に形成し洗髪槽を係合可能に形成した頭部伸延フレームを背もたれ部フレーム先端に差し込み及び取外し自在に連結構成し、洗髪時に使用する洗髪水を収容するポリタンク上部には給水ポンプとシャワーヘッドを設けた洗髪水ホースを挿通可能な給水穴を形成したので、持ち運び形態から仰向け形態へと各フレームの構成を変更することができる。仰向け形態は、脚載せ部フレームの左右フレーム先端の差し込み杆をメインフレームの左右上方フレーム後端に連結し、メインフレームの上側フレーム後端に枢着した背もたれ部フレームを倒して、頭部伸延フレームに洗髪槽を係合することにより構成することができる。仰向け形態へ各フレームを変更することによりポリタンクの洗髪水を使用しての仰向け状態で洗髪を行うことができる。洗髪が完了したのちは持ち運び形態に各フレームを変更することにより背もたれ部フレームの裏側には背負い用のベルトに腕を通し、背負って在宅美容施術個所に持ち運ぶことが可能となる効果がある。
【手続補正５】
【補正対象書類名】明細書
【補正対象項目名】００１５
【補正方法】変更
【補正の内容】
【００１５】
請求項４の発明によれば、折畳携行時に、シャワーヘッドと洗髪水ホースと排水ホースとタンク用キャスターと搬送用ハンドルとを収納可能とするためにメインフレームの上方フレーム間に洗髪槽を係合収納自在に構成し、かつ別途設けた器具収納袋の袋フレーム先端を水平に変位させたグリップ部自由端に連結可能に構成して洗髪槽の内部に器具収納袋を垂下収納可能に構成したので、メインフレームの上方フレーム間に洗髪槽を係合収納し、器具収納袋の袋フレーム先端をグリップ部自由端にれんけつして洗髪槽の内部に器具収納袋を垂下収納することにより折畳み略方形折畳み状態として在宅美容施術個所に持ち運ぶ
ことが可能となる。
【手続補正６】
【補正対象書類名】明細書
【補正対象項目名】００５２
【補正方法】変更
【補正の内容】
【００５２】
図１に示すように、上記器具収納袋Ｈにシャワーヘッドや洗髪水ホースや排水ホースやタンク用キャスターや搬送用ハンドル等よりなる美容施術に必要な器具を内部収納可能に機能させ、しかも各フレームの前記機能によって折畳み略方形折畳み状態として背もたれ部フレームＣ反対側の背負い用ベルトＥ，Ｅに両腕を通し、背負って在宅美容施術個所に持ち運び可能としている。
かかる折畳み構成とすることによりメインフレームＡ及び連結自在のその他のフレーム並びに付属部品を一体ユニットの方形収納状態として背負うことが可能となる。